(57)【特許請求の範囲】
【請求項１】
上端面、前記上端面の第１端に連続的に接続する第１側面、前記上端面の第２端に連続的に接続する第２側面を含む巻き取り面と、
前記上端面から上方に伸びる凸部であって、前記第２側面よりも前記第１側面に近い位置にあり、前記上端面中心から前記第１側面方向に直交する幅方向で前記上端面の両端部から多層巻きコイル１本分以上離れて位置する凸部と、
を含む、回転電機用ボビン。
【請求項２】
請求項１に記載された回転電機用ボビンにおいて、
前記第１側面は、曲面を以て前記上端面に接続する、回転電機用ボビン。
【請求項３】
請求項１又は２に記載された回転電機用ボビンにおいて、
前記凸部は、前記第１側面に隣接する外側面と、前記幅方向で前記外側面の両側にある一対の端面と、を含む、回転電機用ボビン。
【請求項４】
請求項３に記載された回転電機用ボビンにおいて、
前記外側面は、前記上端面中心の接平面に対して垂直な部分を有する、回転電機用ボビン。
【請求項５】
請求項３に記載された回転電機用ボビンにおいて、
前記外側面は、前記上端面中心の接平面に対して斜めになっている、回転電機用ボビン。
【請求項６】
請求項３から５のいずれか１項に記載された回転電機用ボビンにおいて、
前記一対の端面は、平行である、回転電機用ボビン。
【請求項７】
請求項３から５のいずれか１項に記載された回転電機用ボビンにおいて、
前記一対の端面は、非平行であり、
前記一対の端面の間の間隔は、前記第１側面から離れるほど接近する、回転電機用ボビン。
【請求項８】
請求項１から７のいずれか１項に記載された回転電機用ボビンにおいて、
前記凸部は、前記幅方向に間隔をあけた複数の凸部である、回転電機用ボビン。
【請求項９】
請求項１から８のいずれか１項に記載された回転電機用ボビンにおいて、
前記第１側面は、前記凸部との隣接領域に、複数の突片部を含み、
前記複数の突片部は、前記幅方向で前記第１側面の両端部から離れて配列されている、回転電機用ボビン。
【請求項１０】
請求項９に記載された回転電機用ボビンにおいて、
前記複数の突片部の、前記上端面方向の高さが、前記上端面を超えないようになっている、回転電機用ボビン。
【請求項１１】
請求項９に記載された回転電機用ボビンにおいて、
前記複数の突片部のそれぞれは、前記上端面に面一の先端部と、前記隣接領域を除いて第１側面と面一の先端部と、を含む、回転電機用ボビン。
【請求項１２】
請求項１から８のいずれか１項に記載された回転電機用ボビンと、
前記回転電機用ボビンの前記巻き取り面に巻き付けられた前記多層巻きコイルと、
を含む、回転電機用固定子。
【請求項１３】
請求項１２に記載された回転電機用固定子において、
前記多層巻きコイルは、巻回方向に連続的に巻かれた巻線からなり、
前記多層巻きコイルは、最も内側に第１単層コイルを含み、
前記第１単層コイルは、前記幅方向で前記凸部の外側にそれぞれ巻かれた第１上流巻部及び第１下流巻部と、前記凸部の上に巻かれて前記第１上流巻部及び前記第１下流巻部よりも高くなった第１螺旋部と、を含み、
前記第１上流巻部は、前記凸部に接触して屈曲し、前記第１螺旋部に接続している、回転電機用固定子。
【請求項１４】
請求項１３に記載された回転電機用固定子において、
前記多層巻きコイルは、前記第１単層コイルの上に重なる第２単層コイルを含み、
前記第２単層コイルは、前記第１下流巻部の上に巻かれた第２上流巻部と、前記第１上流巻部の上に巻かれた第２下流巻部と、前記第１螺旋部の上に巻かれて前記第２上流巻部及び前記第２下流巻部よりも高くなった第２螺旋部と、を含み、
前記第２上流巻部は、前記第１螺旋部に接触して屈曲し、前記第２螺旋部に接続している、回転電機用固定子。
【請求項１５】
請求項１３又は１４に記載された回転電機用固定子において、
前記回転電機用ボビンの前記巻き取り面は、前記第１側面に複数の突片部を含み、
前記複数の突片部は、前記幅方向で前記第１側面の両端部から前記巻線の幅以上離れ、前記巻線の前記幅以上の間隔をあけてそれぞれ配列されている、回転電機用固定子。
【請求項１６】
請求項１３から１５のいずれか１項に記載された回転電機用固定子において、
前記巻線は、平角線である、回転電機用固定子。
【請求項１７】
請求項１２から１６のいずれか１項に記載された回転電機用固定子と、
回転軸を中心に回転可能な回転子と、
を含む、回転電機。
【発明の詳細な説明】
【技術分野】
【０００１】
本発明は、回転電機、回転電機用固定子及び回転電機用ボビンに関する。
【背景技術】
【０００２】
回転電機において、固定子にボビンを使用した構造では、鉄心にボビンが装着され、ボビンに巻線が巻き付けられている（特許文献１）。ボビンによって、鉄心とコイルの絶縁性が確保される。巻線として、断面が矩形の平角線を使用することで、回転電機の小型化を図ることができる。
【先行技術文献】
【特許文献】
【０００３】
【特許文献１】特開２０１０―２３９７２６号公報
【発明の概要】
【発明が解決しようとする課題】
【０００４】
特許文献１では、ボビンに凹部を形成することで、巻線の巻き崩れを防止している。しかし、凹部の形成によってボビンが薄くなり、強度が低下する。あるいは、凹部が形成される領域で必要な強度が得られるように厚みを調整すると、凹部が形成されない領域で厚みが過剰になり、固定子が大型化する。
【０００５】
本発明は、固定子の強度低下及び大型化を避けて、巻線の巻き崩れを防止することを目的とする。
【課題を解決するための手段】
【０００６】
（１）本発明に係る回転電機用ボビンは、上端面、前記上端回転電機用ボビン面の第１端に連続的に接続する第１側面、前記上端面の第２端に連続的に接続する第２側面を含む巻き取り面と、前記上端面から上方に伸びる凸部であって、前記第２側面よりも前記第１側面に近い位置にあり、前記上端面中心から前記第１側面方向に直交する幅方向で前記上端面の両端部から多層巻きコイル１本分以上離れて位置する凸部と、を含む。
【０００７】
本発明によれば、凸部によって、巻き崩れが起きにくい巻線を可能にすることができる。
【０００８】
（２）（１）に記載された回転電機用ボビンにおいて、前記第１側面は、曲面を以て前記上端面に接続してもよい。
【０００９】
（３）（１）又は（２）に記載された回転電機用ボビンにおいて、前記凸部は、前記第１側面に隣接する外側面と、前記幅方向で前記外側面の両側にある一対の端面と、を含んでもよい。
【００１０】
（４）（３）に記載された回転電機用ボビンにおいて、前記外側面は、前記上端面中心の接平面に対して垂直な部分を有してもよい。
【００１１】
（５）（３）に記載された回転電機用ボビンにおいて、前記外側面は、前記上端面中心の接平面に対して斜めになっていてもよい。
【００１２】
（６）（３）から（５）のいずれか１項に記載された回転電機用ボビンにおいて、前記一対の端面は、平行であってもよい。
【００１３】
（７）（３）から（５）のいずれか１項に記載された回転電機用ボビンにおいて、前記一対の端面は、非平行であり、前記一対の端面の間の間隔は、前記第１側面から離れるほど接近してもよい。
【００１４】
（８）（１）から（７）のいずれか１項に記載された回転電機用ボビンにおいて、前記凸部は、前記幅方向に間隔をあけた複数の凸部であってもよい。
【００１５】
（９）（１）から（８）のいずれか１項に記載された回転電機用ボビンにおいて、前記第１側面は、前記凸部との隣接領域に、複数の突片部を含み、前記複数の突片部は、前記幅方向で前記第１側面の両端部から離れて配列されていてもよい。
【００１６】
（１０）（９）に記載された回転電機用ボビンにおいて、前記複数の突片部の、前記上端面方向の高さが、前記上端面を超えないようになっていてもよい。
【００１７】
（１１）（９）に記載された回転電機用ボビンにおいて、前記複数の突片部のそれぞれは、前記上端面に面一の先端部と、前記隣接領域を除いて第１側面と面一の先端部と、を含んでもよい。
【００１８】
（１２）本発明に係る回転電機用固定子は、（１）から（８）のいずれか１項に記載された回転電機用ボビンと、前記回転電機用ボビンの前記巻き取り面に巻き付けられた前記多層巻きコイルと、を含む。
【００１９】
（１３）（１２）に記載された回転電機用固定子において、前記多層巻きコイルは、巻回方向に連続的に巻かれた巻線からなり、前記多層巻きコイルは、最も内側に第１単層コイルを含み、前記第１単層コイルは、前記幅方向で前記凸部の外側にそれぞれ巻かれた第１上流巻部及び第１下流巻部と、前記凸部の上に巻かれて前記第１上流巻部及び前記第１下流巻部よりも高くなった第１螺旋部と、を含み、前記第１上流巻部は、前記凸部に接触して屈曲し、前記第１螺旋部に接続している、回転電機用固定子。
【００２０】
（１４）（１３）に記載された回転電機用固定子において、前記多層巻きコイルは、前記第１単層コイルの上に重なる第２単層コイルを含み、前記第２単層コイルは、前記第１下流巻部の上に巻かれた第２上流巻部と、前記第１上流巻部の上に巻かれた第２下流巻部と、前記第１螺旋部の上に巻かれて前記第２上流巻部及び前記第２下流巻部よりも高くなった第２螺旋部と、を含み、前記第２上流巻部は、前記第１螺旋部に接触して屈曲し、前記第２螺旋部に接続していてもよい。
【００２１】
（１５）（１３）又は（１４）に記載された回転電機用固定子において、前記回転電機用ボビンの前記巻き取り面は、前記第１側面に複数の突片部を含み、前記複数の突片部は、前記幅方向で前記第１側面の両端部から前記巻線の幅以上離れ、前記巻線の前記幅以上の間隔をあけてそれぞれ配列されていてもよい。
【００２２】
（１６）（１３）から（１５）のいずれか１項に記載された回転電機用固定子において、前記巻線は、平角線であってもよい。
【００２３】
（１７）本発明に係る回転電機は、（１２）から（１６）のいずれか１項に記載された回転電機用固定子と、回転軸を中心に回転可能な回転子と、を含む。
【図面の簡単な説明】
【００２４】
【図１】実施形態に係る回転電機の分解斜視図である。
【図２】ティースの外径側から鉄心及びボビンを示す図である。
【図３】ティースの外径側から鉄心及びボビンを示す斜視図である。
【図４】ボビンの上方部分の斜視図である。
【図５】図４に示す上方部分のＶ−Ｖ線断面図である。
【図６】ボビンの下方部分の斜視図である。
【図７】図２及び図３に示す鉄心及びボビンの上面図である。
【図８】図７に示す鉄心及びボビンのVIII−VIII線断面図である。
【図９】図７に示すボビンの斜視図である。
【図１０】ボビン及び多層巻きコイルの一部を示す図である。
【図１１】図１０に示す構造のXI−XI線断面図である。
【図１２】第１下流巻部に重なる層を示す図である。
【図１３】第２単層コイルを示す図である。
【図１４】図１３に示す第２単層コイルのXIV−XIV線断面図である。
【図１５】変形例１に係るボビンの断面図である。
【図１６】変形例１に係るボビンの巻き取り面の上端面を示す図である。
【図１７】変形例２に係るボビンの斜視図である。
【図１８】図１７に示すボビンの一部拡大図である。
【発明を実施するための形態】
【００２５】
以下、本発明の実施形態について図面を参照して説明する。但し、本発明は、その要旨を逸脱しない範囲において様々な態様で実施することができ、以下に例示する実施形態の記載内容に限定して解釈されるものではない。
【００２６】
［回転電機］
図１は、実施形態に係る回転電機の分解斜視図である。回転電機は、電動車両（例えば電動二輪車）の駆動モータとして使用することができる。回転電機は、回転軸Ａを中心に回転可能な回転子１０を含む。回転子１０は、回転軸Ａに沿って延びるシャフト１２を有する。回転子１０は、固定子１４の内側で回転可能になっている。固定子１４は、回転子１０を収容するために、内側に円柱状のスペース１６を有する。固定子１４は、筒状のコアバック１８とその内側に収容される複数のティース２０を含む。コアバック１８の内面は、ティース２０の外形に対応して、凹凸を有する。なお、コアバック１８と複数のティース２０は一体であってもよい。
【００２７】
［固定子］
固定子１４は、複数のティース２０を含む。複数のティース２０は、回転子１０の回転方向に並ぶ。それぞれのティース２０は、鉄心２２（分割コア）にボビン２４が装着された構造になっている。複数のティース２０のそれぞれは、対応するボビン２４を含む。ボビン２４には、巻線２６が巻き付けられている。回転電機が三相交流モータであれば、１２０°位相のずれた交流電流がそれぞれ３種類（Ｕ相、Ｖ相及びＷ相）の巻線２６に流れる。位相が同じ巻線２６は、接続基板２８で電気的に接続されている。
【００２８】
図２は、ティース２０の外径側から鉄心２２及びボビン２４を示す図である。図３は、ティース２０の内径側から鉄心２２及びボビン２４を示す斜視図である。鉄心２２にボビン２４を装着することで、複数のティース２０のそれぞれが構成される。
【００２９】
以下、第１軸Ａ１、第２軸Ａ２及び第３軸Ａ３が互いに直交する３次元直交座標系を使用して説明する。第１軸Ａ１は、図１に示す回転軸Ａが平行移動した軸である。ボビン２４は、第１軸Ａ１に沿って、上方部分２４Ａ及び下方部分２４Ｂに分離可能になっている。
【００３０】
図４は、ボビン２４の上方部分２４Ａの斜視図である。図５は、図４に示す上方部分２４ＡのＶ−Ｖ線断面図である。図６は、ボビン２４の下方部分２４Ｂの斜視図である。図２及び図３に示す鉄心２２に、第１軸Ａ１に沿って、分離された上方部分２４Ａ及び下方部分２４Ｂをそれぞれ装着し、図１に示すティース２０が構成されるようになっている。
【００３１】
［ボビン］
ボビン２４は、樹脂などの絶縁体から構成され、巻き取り面３０を有する。巻き取り面３０は、図１に示す巻線２６が巻き付けられる面である。一対のフランジ３２の間に巻き取り面３０がある。一対のフランジ３２によって巻線２６の脱落が防止される。フランジ３２は、巻き取り面３０の全周にわたって連続してもよいし、途切れていてもよい。
【００３２】
巻き取り面３０は、上端面３４を含む。一対のフランジ３２の間の方向（第２軸Ａ２方向）が、上端面３４の幅である。上端面３４は、上方部分２４Ａの一部である。図５に示す上端面３４は、凸状の湾曲面であるが、平坦面であってもよい。図５に示すように、上端面３４（中心の接平面Ｔ）は、第１軸Ａ１方向を向く。
【００３３】
巻き取り面３０は、上端面３４の第１端Ｅ１に連続的に接続する第１側面３６を含む（図５）。第１端Ｅ１は、上端面３４の、第３軸Ａ３方向における一端に位置する。第１側面３６は、上端面３４の中心から幅方向に直交する方向（第３軸Ａ３方向）に離れた位置に位置する。第１側面３６は、第３軸Ａ３方向を向く。第１側面３６は、曲面を以て上端面３４に接続している。第１側面３６は、上方部分２４Ａの上方第１側面３６Ａと、下方部分２４Ｂの下方第１側面３６Ｂから構成されている。
【００３４】
巻き取り面３０は、上端面３４の第２端Ｅ２に連続的に接続する第２側面３８を含む（図５）。第２端Ｅ２は、上端面３４で、第３軸Ａ３に沿って第１端Ｅ１とは反対側にある。第２側面３８は、第３軸Ａ３に沿って、第１側面３６とは反対方向を向く。第２側面３８は、曲面を以て上端面３４に接続している。第２側面３８は、上方部分２４Ａの上方第２側面３８Ａと、下方部分２４Ｂの下方第２側面（図示せず）から構成されている。
【００３５】
巻き取り面３０は、下端面４０を含む。下端面４０は、第１軸Ａ１に沿って上端面３４とは反対側にある。下端面４０は、第１側面３６及び第２側面３８に連続的に接続する。下端面４０は、下方部分２４Ｂの一部である。上端面３４、第１側面３６、下端面４０及び第２側面３８は、第２軸Ａ２を囲むように位置する。
【００３６】
図５に示すように、ボビン２４は、上端面３４を外面とする上壁部４２と、第１側面３６を外面とする第１壁部４４と、第２側面３８を外面とする第２壁部４６と、を含む。上壁部４２は、第１壁部４４及び第２壁部４６のいずれよりも厚くなっていてもよい。
【００３７】
図７は、図２及び図３に示す鉄心２２及びボビン２４の上面図である。図８は、図７に示す鉄心２２及びボビン２４のVIII−VIII線断面図である。図９は、図７に示すボビン２４の斜視図である。
【００３８】
［凸部］
上端面３４には、凸部４８が形成されている。凸部４８は、第１軸Ａ１方向の上方に隆起している。凸部４８は、第２側面３８よりも第１側面３６に近い位置にある。凸部４８は、第１側面３６に隣接する外側面５０を含む。外側面５０は、上端面３４の中心の接平面Ｔ（図５）に対して垂直な部分を有する。例えば、外側面５０の高さ方向の中間部が垂直面であり、根元部が傾斜していてもよいし、上端部も傾斜していてもよい。
【００３９】
凸部４８は、上端面３４の幅方向（第２軸Ａ２方向）で、上端面３４の両端部から、巻線２６の幅以上離れている。凸部４８は、幅方向で外側面５０の両側にある一対の端面５２を含む。凸部４８は、上端面３４の、幅方向の両端部から間隔をあけて形成されている。一対の端面５２は、平行になった部分を有する。
【００４０】
［突片部］
第１側面３６は、凸部４８との隣接領域（例えば曲面領域）に、複数の突片部５４を含む。複数の突片部５４は、幅方向（第２軸Ａ２方向）で第１側面３６の両端部から間隔をあけて配列されている。その間隔は、巻線２６の幅以上である。隣同士の突片部５４は、巻線２６の幅以上の間隔をあけて配列されている。複数の突片部５４の、上端面３４方向（第１軸Ａ１方向）の高さは、上端面３４を超えないようになっている。
【００４１】
［多層巻きコイル］
固定子１４は、図１に示すように、多層巻きコイル５６を含む。多層巻きコイル５６は、ボビン２４の巻き取り面３０に、巻回方向に連続的に巻き付けられた巻線２６からなる。巻線２６は、平角線である。
【００４２】
［第１単層コイル］
図１０は、ボビン２４及び多層巻きコイル５６の一部を示す図である。図１１は、図１０に示す構造のXI−XI線断面図である。
【００４３】
多層巻きコイル５６は、最も内側に第１単層コイル５８を含む。第１単層コイル５８は、巻き取り面３０に接触している。第１単層コイル５８は、第１上流巻部６０及び第１下流巻部６２を含む。第１上流巻部６０は、図１に示す接続基板２８との接続のための引き出し部６４に接続している。第１上流巻部６０及び第１下流巻部６２は、それぞれ、幅方向（第２軸Ａ２方向）で凸部４８の外側に巻かれている。つまり、第１上流巻部６０及び第１下流巻部６２は、凸部４８に載らないようになっている。
【００４４】
巻線２６をボビン２４に巻き付けるプロセスにおいて、一対のフランジ３２をガイドとして使用することで、第１上流巻部６０及び第１下流巻部６２の形状を整えることができる。引き出し部６４を屈曲させるときにも、フランジ３２がガイドとなる。
【００４５】
複数の突片部５４は、図９に示すように、幅方向（第２軸Ａ２方向）で第１側面３６の両端部から巻線２６の幅以上離れている。したがって、最も外側にある一対の突片部５４も、それぞれ、第１上流巻部６０及び第１下流巻部６２の位置決めガイドになる。第１上流巻部６０及び第１下流巻部６２は、それぞれ、二次元曲線に沿って延びている。
【００４６】
第１単層コイル５８は、第１上流巻部６０及び第１下流巻部６２の間に、第１螺旋部６６を含む。第１螺旋部６６は、図１１に示すように、凸部４８の上に巻かれて第１上流巻部６０及び第１下流巻部６２よりも高くなった部分を含む。第１螺旋部６６は、三次元曲線に沿って延びる形状になっている。
【００４７】
第１上流巻部６０は、凸部４８（端面５２）に接触する第１接触部６８を有する。第１螺旋部６６は、第１接触部６８に隣接する部分で、第２軸Ａ２方向に屈曲している。つまり、凸部４８（端面５２）をガイドとして使用することで、巻線２６を変形させることができる。これにより、第１上流巻部６０に続く第１螺旋部６６の形状を整えることができる。
【００４８】
本実施形態によれば、凸部４８によって、巻き崩れが起きにくい巻線が可能になる。また、隣同士の突片部５４は、巻線２６の幅以上の間隔をあけて配列されているので、第１単層コイル５８の形状を整える位置決めガイドとして使用される。なお、第１螺旋部６６は、第２軸Ａ２方向に屈曲して、第１下流巻部６２に接続するようになっている（図１０）。
【００４９】
［第２単層コイル］
図１２は、第１下流巻部６２に重なる層を示す図である。多層巻きコイル５６は、第２単層コイル７０を含む。第２単層コイル７０は、第１下流巻部６２の上に巻かれた第２上流巻部７２を含む。第２上流巻部７２の形状もフランジ３２にガイドされることで整えられる。第２上流巻部７２は、二次元曲線に沿って延びている。
【００５０】
図１３は、第２単層コイル７０を示す図である。図１４は、図１３に示す第２単層コイル７０のXIV−XIV線断面図である。
【００５１】
第２単層コイル７０は、第１単層コイル５８の上に重なっている。第２単層コイル７０は、第１上流巻部６０の上に巻かれた第２下流巻部７４を含む。第２下流巻部７４の形状もフランジ３２にガイドされることで整えられる。第２下流巻部７４も、二次元曲線に沿って延びている。
【００５２】
第２単層コイル７０は、第２螺旋部７６を含む。第２螺旋部７６は、第１螺旋部６６の上に巻かれて、凸部４８の上方で、第２上流巻部７２及び第２下流巻部７４よりも高くなった部分を含む。第２螺旋部７６は、三次元曲線に沿って延びる形状になっている。
【００５３】
第２上流巻部７２は、第１螺旋部６６に接触する第２接触部７８を有する。第２螺旋部７６は、第２接触部７８に隣接する部分で、第２軸Ａ２方向に屈曲している（図１２）。つまり、第１螺旋部６６をガイドとして使用することで、巻線２６を変形させることができる。これにより、第２上流巻部７２に続く第２螺旋部７６の形状を整えることができる。多層巻きコイル５６は、３層以上の単層コイルを含んでもよい。
【００５４】
［変形例１］
図１５には、変形例１に係るボビン１２４が示されている。図１６には、変形例１に係るボビン１２４の巻き取り面１３０の上端面１３４が示されている。本変形例では、凸部１４８の一対の端面１５２は、非平行になっている。詳しくは、一対の端面１５２の間の間隔は、第１側面１３６から離れるほど接近するようになっている。また、凸部１４８の外側面１５０は、上端面１３４の中心の接平面Ｔに対して、斜めになっている。このような凸部１４８であっても、巻き崩れが起きにくい巻線が可能になる。
【００５５】
［変形例２］
図１７には、変形例２に係るボビン２２４が示されている。図１８には、ボビン２２４の一部が拡大されている。本変形例では、凸部２４８は、幅方向（第２軸Ａ２方向）に間隔をあけた複数の凸部２４８である。それぞれの凸部２４８は、第１側面２３６に隣接する外側面２５０を含む。最も離れた一対の凸部２４８は、上端面２３４の幅方向（第２軸Ａ２方向）で最も離れた一対の端面２５２を含む（図１７）。また、複数の突片部２５４のそれぞれは、上端面２３４に面一の先端部と、凸部２４８との隣接領域（凸部２４８が形成された領域）を除いて第１側面２３６と面一の先端部と、を含む。このような凸部２４８であっても、巻き崩れが起きにくい巻線が可能になる。
【００５６】
［実施形態の概要］
（１）ボビン２４は、上端面３４、上端面３４の第１端Ｅ１に連続的に接続する第１側面３６、上端面３４の第２端Ｅ２に連続的に接続する第２側面３８を含む巻き取り面３０と、上端面３４から上方に伸びる凸部４８であって、第２側面３８よりも第１側面３６に近い位置にあり、上端面３４中心から第１側面３６方向に直交する幅方向で上端面３４の両端部から多層巻きコイル５６の１本分以上離れて位置する凸部４８と、を含む。
【００５７】
本実施形態によれば、凸部４８によって、巻き崩れが起きにくい巻線２６を可能にすることができる。
【００５８】
（２）（１）に記載されたボビン２４において、第１側面３６は、曲面を以て上端面３４に接続してもよい。
【００５９】
（３）（１）又は（２）に記載されたボビン２４において、凸部４８は、第１側面３６に隣接する外側面５０と、幅方向で外側面５０の両側にある一対の端面５２と、を含んでもよい。
【００６０】
（４）（３）に記載されたボビン２４において、外側面５０は、上端面３４中心の接平面Ｔに対して垂直な部分を有してもよい。
【００６１】
（５）（３）に記載されたボビン２４において、外側面５０は、上端面３４中心の接平面Ｔに対して斜めになっていてもよい。
【００６２】
（６）（３）から（５）のいずれか１項に記載されたボビン２４において、一対の端面５２は、平行であってもよい。
【００６３】
（７）（３）から（５）のいずれか１項に記載されたボビン１２４において、一対の端面１５２は、非平行であり、一対の端面１５２の間の間隔は、第１側面１３６から離れるほど接近してもよい。
【００６４】
（８）（１）から（７）のいずれか１項に記載されたボビン２４において、凸部４８は、幅方向に間隔をあけた複数の凸部４８であってもよい。
【００６５】
（９）（１）から（８）のいずれか１項に記載されたボビン２４において、第１側面３６は、凸部４８との隣接領域に、複数の突片部５４を含み、複数の突片部５４は、幅方向で第１側面３６の両端部から離れて配列されていてもよい。
【００６６】
（１０）（９）に記載されたボビン２４において、複数の突片部５４の、上端面３４方向の高さが、上端面３４を超えないようになっていてもよい。
【００６７】
（１１）（９）に記載されたボビン２２４において、複数の突片部２５４のそれぞれは、上端面２３４に面一の先端部と、隣接領域を除いて第１側面２３６と面一の先端部と、を含んでもよい。
【００６８】
（１２）固定子１４は、（１）から（８）のいずれか１項に記載されたボビン２４と、ボビン２４の巻き取り面３０に巻き付けられた多層巻きコイル５６と、を含む。
【００６９】
（１３）（１２）に記載された固定子１４において、多層巻きコイル５６は、巻回方向に連続的に巻かれた巻線２６からなり、多層巻きコイル５６は、最も内側に第１単層コイル５８を含み、第１単層コイル５８は、幅方向で凸部４８の外側にそれぞれ巻かれた第１上流巻部６０及び第１下流巻部６２と、凸部４８の上に巻かれて第１上流巻部６０及び第１下流巻部６２よりも高くなった第１螺旋部６６と、を含み、第１上流巻部６０は、凸部４８に接触して屈曲し、第１螺旋部６６に接続している、固定子１４。
【００７０】
（１４）（１３）に記載された固定子１４において、多層巻きコイル５６は、第１単層コイル５８の上に重なる第２単層コイル７０を含み、第２単層コイル７０は、第１下流巻部６２の上に巻かれた第２上流巻部７２と、第１上流巻部６０の上に巻かれた第２下流巻部７４と、第１螺旋部６６の上に巻かれて第２上流巻部７２及び第２下流巻部７４よりも高くなった第２螺旋部７６と、を含み、第２上流巻部７２は、第１螺旋部６６に接触して屈曲し、第２螺旋部７６に接続していてもよい。
【００７１】
（１５）（１３）又は（１４）に記載された固定子１４において、ボビン２４の巻き取り面３０は、第１側面３６に複数の突片部５４を含み、複数の突片部５４は、幅方向で第１側面３６の両端部から巻線２６の幅以上離れ、巻線２６の幅以上の間隔をあけてそれぞれ配列されていてもよい。
【００７２】
（１６）（１３）から（１５）のいずれか１項に記載された固定子１４において、巻線２６は、平角線であってもよい。
【００７３】
（１７）回転電機は、（１２）から（１６）のいずれか１項に記載された固定子１４と、回転軸Ａを中心に回転可能な回転子１０と、を含む。
【００７４】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００７５】
１０  回転子、１２  シャフト、１４  固定子、１６  スペース、１８  コアバック、２０  ティース、２２  鉄心、２４  ボビン、２４Ａ  上方部分、２４Ｂ  下方部分、２６  巻線、２８  接続基板、３０  巻き取り面、３２  フランジ、３４  上端面、３６  第１側面、３６Ａ  上方第１側面、３６Ｂ  下方第１側面、３８  第２側面、３８Ａ  上方第２側面、４０  下端面、４２  上壁部、４４  第１壁部、４６  第２壁部、４８  凸部、５０  外側面、５２  端面、５４  突片部、５６  多層巻きコイル、５８  第１単層コイル、６０  第１上流巻部、６２  第１下流巻部、６４  引き出し部、６６  第１螺旋部、６８  第１接触部、７０  第２単層コイル、７２  第２上流巻部、７４  第２下流巻部、７６  第２螺旋部、７８  第２接触部、１２４  ボビン、１３０  巻き取り面、１３４  上端面、１３６  第１側面、１４８  凸部、１５０  外側面、１５２  端面、２２４  ボビン、２３４  上端面、２３６  第１側面、２４８  凸部、２５０  外側面、２５２  端面、２５４  突片部、Ａ  回転軸、Ａ１  第１軸、Ａ２  第２軸、Ａ３  第３軸、Ｅ１  第１端、Ｅ２  第２端、Ｔ  接平面。
【図１】
0006916857.tif 000002
【図２】
0006916857.tif 000003
【図３】
0006916857.tif 000004
【図４】
0006916857.tif 000005
【図５】
0006916857.tif 000006
【図６】
0006916857.tif 000007
【図７】
0006916857.tif 000008
【図８】
0006916857.tif 000009
【図９】
0006916857.tif 000010
【図１０】
0006916857.tif 000011
【図１１】
0006916857.tif 000012
【図１２】
0006916857.tif 000013
【図１３】
0006916857.tif 000014
【図１４】
0006916857.tif 000015
【図１５】
0006916857.tif 000016
【図１６】
0006916857.tif 000017
【図１７】
0006916857.tif 000018
【図１８】
0006916857.tif 000019